(57)【要約】【課題】車道トンネル内の風圧力が扉に作用している場合であっても、良好に扉の開放を可能とする。【解決手段】避難連絡坑と車道トンネルを連通する車両用開口部を開閉する扉装置と、前記扉装置に形成された人道用開口部を開閉する引き戸と、を備えた避難扉において、引き戸を開放方向に移動させる引戸開放装置１７と、引戸開放装置１７による引き戸の開放方向の移動を規制する移動規制手段（ロック装置を備えた巻取装置１８）とを備え、移動規制手段（ロック装置を備えた巻取装置１８）による移動規制は、前記扉装置の開放操作に連動して解除され、前記扉装置の開放時に引戸開放装置１７によって引き戸を自動で開放する。【選択図】図１２
2020109249.tif 000002
【特許請求の範囲】
【請求項１】
避難連絡坑と車道トンネルを連通する車両用開口部を開閉する扉装置と、前記扉装置に形成された人道用開口部を開閉する引き戸と、を備えた避難扉において、
前記引き戸を開放方向に移動させる引戸開放装置と、
前記引戸開放装置による引き戸の開放方向の移動を規制する移動規制手段と、
を備え、
前記移動規制手段による移動規制は、前記扉装置の開放操作に連動して解除され、前記扉装置の開放時に前記引戸開放装置によって引き戸を自動で開放する、避難扉。
【請求項２】
前記引戸開放装置は、線状部材の第１の方向への移動によって前記引き戸を開放方向に移動させるものであり、
前記移動規制手段は、前記線状部材の第１の方向への移動を規制する、
請求項１に記載の避難扉。
【請求項３】
前記引戸開放装置は、前記線状部材を第１の方向へ移動させるように前記線状部材の一端側を巻き取り、前記引き戸を開放方向に移動させる第１巻取装置からなり、
前記移動規制手段は、ロック装置を備え、前記線状部材の他端側が巻き取られる第２巻取装置からなり、
前記第１巻取装置の巻取力は、前記第２巻取装置の巻取力よりも大きく、
前記第２巻取装置の巻取体は、前記線状部材の第１の方向への移動時に第１の方向に回転し、
前記ロック装置は、ロック状態では前記巻取体の第１の方向の回転を規制し、前記扉装置の開放操作に連動してロック状態からロック解除状態となる、
請求項２に記載の避難扉。
【請求項４】
前記ロック装置のロック状態を解除する移動規制解除手段と、前記扉装置の開放操作時に移動する可動体とが、伝動連結されており、開放操作に伴う前記可動体の移動に連動して、前記移動規制解除手段が前記ロック装置のロック状態を解除する、
請求項３に記載の避難扉。
【請求項５】
前記扉装置の閉鎖姿勢時には、前記開放装置による引き戸の開放方向の移動が規制されており、前記扉装置の閉鎖姿勢時に前記引き戸の手動開放が可能であり、
手動開放した引き戸を閉鎖姿勢とする自閉装置を備え、前記引戸開放装置の開放力は前記自閉装置の閉鎖力よりも大きい、
請求項１〜４いずれか１項に記載の避難扉。
【請求項６】
前記引戸開放装置は、第１線状部材の第１の方向への移動によって前記引き戸を開放方向に移動させるものであり、
前記移動規制手段は、前記第１線状部材の第１の方向への移動を規制する一方、第２の方向への移動を許容し、
前記自閉装置は、第２線状部材の第２の方向への移動によって前記引戸を閉鎖方向に移動させるものである、
請求項５に記載の避難扉。
【発明の詳細な説明】
【技術分野】
【０００１】
本発明は、避難連絡坑と車道トンネルとを連通する開口部に設置される避難扉に関するものである。
【背景技術】
【０００２】
上り道と下り道が間隔を存して並行して走る高速道路等において、上り道と下り道のトンネル同士を連結する避難連絡坑が設けられる。避難連絡坑と車道トンネルとを連通する開口部には避難扉が設けてある。
【０００３】
特許文献１に開示された避難連絡トンネル用の防災ドアは、該トンネルの開口部を開閉する開き扉ないし折り扉と、該開き扉ないし折り扉に設けた引き戸とから構成し、該開き扉ないし折り扉を開放することで車両用避難開口部を形成し、該引き戸を開放することで人道用避難開口部を形成することを特徴としている。
【０００４】
このような避難扉においては、車道トンネル内の風圧力によって、扉の開放力が重くなる場合があるが、災害時等に車道用開口部を迅速に確保するためには、扉に風圧力が作用している場合であっても、扉の開放力を軽減する工夫を施すことが望ましい。
【特許文献１】特開２００２−１３８７７４
【発明の開示】
【発明が解決しようとする課題】
【０００５】
本発明は、車道トンネル内の風圧力が扉に作用している場合であっても、良好に扉の開放を可能とする避難扉を提供することを目的とするものである。
【特許文献１】特開２００２−１３８７７４
【課題を解決するための手段】
【０００６】
本発明が採用した技術手段は、
避難連絡坑と車道トンネルを連通する車両用開口部を開閉する扉装置と、前記扉装置に形成された人道用開口部を開閉する引き戸と、を備えた避難扉において、
前記引き戸を開放方向に移動させる引戸開放装置と、
前記引戸開放装置による引き戸の開放方向の移動を規制する移動規制手段と、
を備え、
前記移動規制手段による移動規制は、前記扉装置の開放操作に連動して解除され、前記扉装置の開放時に前記引戸開放装置によって引き戸を自動で開放する、避難扉、である。
１つの態様では、前記扉装置は、開き扉である。
１つの態様では、前記扉装置は、折り扉である。
上記「扉装置の開放操作」は、例えば、扉体開放時のハンドルや取手の回動操作、扉体開放時における扉体の回動規制の解除操作（例えば、後述する実施形態にける受孔１３、１４に対する係止部材１１０、１２０の係止を外す操作）を含む。
１つの態様では、前記扉装置の開放操作は、前記扉装置のラッチの解除操作（後述する実施形態では、グレモンハンドルの回動操作）である。
１つの態様では、前記扉装置のラッチの解除操作をハンドルとは別の手段（例えば、押しボタン）によって行ってもよく、この場合、押しボタン操作によって、引き戸が自動開放する。
１つの態様では、自動開放された引き戸は、手動で閉鎖される。
【０００７】
１つの態様では、前記引戸開放装置は、線状部材の第１の方向への移動によって前記引き戸を開放方向に移動させるものであり、
前記移動規制手段は、前記線状部材の第１の方向への移動を規制する。
線状部材としては、ワイヤ、チェーンを例示することができる。
【０００８】
１つの態様では、前記引戸開放装置は、前記線状部材を第１の方向へ移動させるように前記線状部材の一端側を巻き取り、前記引き戸を開放方向に移動させる第１巻取装置からなり、
前記移動規制手段は、ロック装置を備え、前記線状部材の他端側が巻き取られる第２巻取装置からなり、
前記第１巻取装置の巻取力は、前記第２巻取装置の巻取力よりも大きく、
前記第２巻取装置の巻取体は、前記線状部材の第１の方向への移動時に第１の方向に回転し、
前記ロック装置は、ロック状態では前記巻取体の第１の方向の回転を規制し、前記扉装置の開放操作に連動してロック状態からロック解除状態となる。
１つの態様では、前記ロック装置のロック状態を解除する移動規制解除手段と、前記扉装置の開放操作時に移動する可動体とが、伝動連結されており、開放操作に伴う前記可動体の移動に連動して、前記移動規制解除手段が前記ロック装置のロック状態を解除する。
１つの態様では、前記移動規制解除手段と前記可動体（後述する実施形態では上側ロッド１１）はワイヤによって連結されている。
１つの態様では、前記移動規制手段は、回動ドラムと一体で回動可能な被係止体（後述する実施形態ではラチェット歯車１８２）と、前記被係止体に係止可能な回動係止部（後述する実施形態では回動係止体１８３）と、からなり、前記移動規制解除手段は、ロック姿勢にある回動係止部（後述する実施形態では回動係止体１８３）を回動させてロック解除姿勢とする作動部（後述する実施形態では回動体１８４と一体で回動するカム１８５）である。
【０００９】
１つの態様では、前記扉装置の閉鎖姿勢時には、前記開放装置による引き戸の開放方向の移動が規制されており、前記扉装置の閉鎖姿勢時に前記引き戸の手動開放が可能であり、
手動開放した引き戸を閉鎖姿勢とする自閉装置を備え、前記引戸開放装置の開放力は前記自閉装置の閉鎖力よりも大きい。
【００１０】
１つの態様では、前記引戸開放装置は、第１線状部材の第１の方向への移動によって前記引き戸を開放方向に移動させるものであり、
前記移動規制手段は、前記第１線状部材の第１の方向への移動を規制する一方、第２の方向への移動を許容し、
前記自閉装置は、第２線状部材の第２の方向への移動によって前記引戸を閉鎖方向に移動させるものである。
【発明の効果】
【００１１】
本発明では、車道トンネル内の風圧力により扉の開放力が重くなっているような場合でも、扉装置の開放操作時に引き戸が自動で開放して扉に開口部を形成することで圧力差が減少するため、扉の開放力を軽減することができ、扉の開放操作性が良い。
【図面の簡単な説明】
【００１２】
【図１】避難連絡坑側から見た避難連絡坑ドア（閉鎖姿勢）の正面図である。
【図２】車道トンネル側から見た避難連絡坑ドア（閉鎖姿勢）の正面図である。
【図３】図１の状態から引き戸が開放した状態を示す図である。
【図４】避難連絡坑ドア（親扉部位）の縦断面図である。
【図５】避難連絡坑ドア（閉鎖姿勢）の下側部位（人道用開口部）の横断面である。
【図６】避難連絡坑ドア（開き扉が開放姿勢）の横断面図である。
【図７】図１の部分拡大図であり、引き戸の上方部位の戸先側部位を示す。
【図８】図１の部分拡大図であり、引き戸の上方部位の戸尻側部位を示す。
【図９】図４の部分拡大図であり、引き戸の上枠内を示す。
【図１０】閉鎖姿勢にある第１スライド扉の戸先側部位の一部省略横断面図である。
【図１１】（Ａ）は、閉鎖姿勢にある第１スライド扉を示し、引戸開放装置の作動は規制されており、（Ｂ）は、引戸開放装置が作動して、第１スライド扉が閉鎖姿勢から少し開放した状態を示している。
【図１２】（Ｃ）は、引戸開放装置の作動により、第１スライド扉が開放姿勢となった状態を示しており、（Ｄ）は、図１２（Ｃ）の状態から引戸開放装置の作動を規制した状態を示している。
【図１３】（Ｅ）は、図１２（Ｄ）の状態からの手動による引き戸の閉鎖方向への移動を示しており、（Ｆ）は、手動により引き戸が閉鎖姿勢となった状態を示している。
【図１４】（Ａ）は、閉鎖姿勢にある第１スライド扉を示し、引戸開放装置の作動は規制されており、（Ｂ）は、図１４（Ａ）の状態からの手動による引き戸の開放方向への移動を示している。
【図１５】（Ｃ）は、手動により引き戸が開放姿勢となった状態を示している。
【図１６】（Ｄ）は、図１５（Ｃ）の状態からの自閉装置による引き戸の閉鎖方向への移動を示しており、（Ｅ）は、自閉装置により引き戸が閉鎖姿勢となった状態を示している。
【図１７】避難連絡坑側から見た第２実施形態に係る避難連絡坑ドア（閉鎖姿勢）の正面図である。
【図１８】図１７の状態から引き戸が開放した状態を示す図である。
【図１９】図１７に示す避難連絡坑ドアの上方部位かつ戸先側部位の部分拡大図である。
【図２０】第２実施形態に係る避難連絡坑ドアの上方部位の戸先側部位の側面図（ロック機構付き巻取装置の戸尻側から戸先側を見た図）である。
【図２１】第２実施形態に係る避難連絡坑ドアの上方部位の戸尻側部位の側面図（引戸開放装置の戸尻側から戸先側を見た図）である。
【図２２】（Ａ）は、第１スライド扉６を上方から見た図、（Ｂ）は、上側ロッドにおける作動ワイヤの第２端部の固定部を上方から見た図、（Ｃ）は、自閉装置及び巻取装置を上方から見た図である。
【図２３】第２実施形態に係る避難連絡坑ドアのロック機構付き巻取装置を示し、（Ａ）は側面図、（Ｂ）はロック状態にある巻取装置、（Ｃ）はロック解除状態にある巻取装置を示す。
【図２４】ロック機構付き巻取装置及びガイドプーリ１９Ｂを戸先側から戸尻側に向かって見た側面図である。
【図２５】巻取装置のロック機構を解除する作動ワイヤの第２端部側部位を示す図である。
【図２６】（Ａ）は、閉鎖姿勢にある第１スライド扉を示し、引戸開放装置の作動は規制されており、（Ｂ）は、引戸開放装置が作動して、第１スライド扉が閉鎖姿勢から少し開放した状態を示しており、（Ｃ）は、引戸開放装置の作動により、第１スライド扉が開放姿勢となった状態を示している。
【図２７】（Ｄ）は、図２６（Ｃ）の状態から引戸開放装置の作動を規制した状態を示している。（Ｅ）は、図２６（Ｄ）の状態からの手動による引き戸の閉鎖方向への移動を示しており、（Ｆ）は、手動により引き戸が閉鎖姿勢となった状態を示している。
【図２８】（Ａ）は、閉鎖姿勢にある第１スライド扉を示し、引戸開放装置の作動は規制されており、（Ｂ）は、図２８（Ａ）の状態からの手動による引き戸の開放方向への移動を示しており、（Ｃ）は、手動により引き戸が開放姿勢となった状態を示している。
【図２９】（Ｄ）は、図２８（Ｃ）の状態からの自閉装置による引き戸の閉鎖方向への移動を示しており、（Ｅ）は、自閉装置により引き戸が閉鎖姿勢となった状態を示している。
【発明を実施するための形態】
【００１３】
本発明を実施するための形態を図面に基づいて説明する。本実施形態に係る避難連絡坑ドアは、避難連絡坑と車道トンネルとを連通する開口部１に設置される。図中、Ａは車道トンネル側、Ｂは避難連絡坑側を表しており、避難連絡坑の壁面をＷで表している。本実施形態では、引き戸を備えた開き扉に係るが、本発明に係る技術思想は、引き戸を備えた折り扉に適用可能である。
【００１４】
開口部１は躯体に設けられた四周状の枠体２に囲まれた領域に形成されており、枠体２は、左右の縦枠２０、２１と、上枠２２と、下枠２３と、からなり、開口部１は、枠体２に取り付けられた開き扉によって開閉されるようになっている。本実施形態では、開き扉は、第１扉体３と第２扉体４を備えた両開き扉であって、第１扉体３は幅広の親扉であって、第２扉体４は幅狭の子扉である。すなわち、第１扉体３は第１の幅寸法を備え、第２扉体４は第２の幅寸法を備え、第１の幅寸法は第２の幅寸法よりも大きい。
【００１５】
第１扉体３の戸尻側部位は、枠体２の縦枠２０の上下に位置して設けた回動支持部３ａに回動可能に装着されており、第２扉体４の戸尻側部位は、枠体２の縦枠２１の上下に位置して設けた回動支持部４ａに回動可能に装着されている。
【００１６】
第１扉体３の第１の幅寸法、第２扉体４の第２の幅寸法は、これらの合計が、開口部１の開口幅と略同じとなるような寸法を有しており、閉鎖姿勢にある第１扉体３及び第２扉体４によって、開口部１が閉鎖される。第１扉体３及び第２扉体４は、閉鎖姿勢から避難連絡坑側Ｂに回動することで、開口部１を開放するようになっている。開口部１は、車両の通行が可能な車両用開口部であり、図６に示すように、第１扉体３及び第２扉体４が閉鎖姿勢から略９０度回動して開放姿勢となることで車道有効開口幅が得られる。
【００１７】
幅広の親扉である第１扉体３には人道用開口部としての開口部５が形成されており、開口部５は、第１扉体３に設けた引戸装置のスライド扉によって開閉されるようになっており、本実施形態では、２枚の引き違い状の第１スライド扉６、第２スライド扉７によって開口部５を開閉するようになっている。
【００１８】
図５、図４に示すように、第１扉体３は、開口部５の戸先側に位置する戸先側縦枠３０と、第１扉体３の閉鎖姿勢時において避難連絡坑側Ｂに位置する第１見付面３１と、第１扉体３の閉鎖姿勢時において車道トンネル側Ａに位置する第２見付面３２と、戸先側端面（戸先側縦枠３０の外側見込面３０３）と、戸尻側端面３３と、第１扉体３の全幅に亘って延びる上面３４と、開口部５に対して戸尻側の下端に位置する下面３５と、を有し、第１扉体３に形成された開口部５の三方の周面は、上面３６、戸先側の側面（戸先側縦枠３０の内側見込面３０２）、戸尻側の側面３７からなる。
【００１９】
図５に示すように、第２扉体４は、正面視縦長方形状を有し、第２扉体４の閉鎖姿勢時において避難連絡坑側Ｂに位置する第１見付面４１と、第２扉体４の閉鎖姿勢時において車道トンネル側Ａに位置する第２見付面４２と、戸先側端面４３と、戸尻側端面４４と、を有しており、第２見付面４２には、戸先側端面４３から突出するように目板部４０が設けてある。第１扉体３、第２扉体４の閉鎖姿勢時には、第１扉体３の第１見付面３１と第２扉体４の第１見付面４１は面一であり（同一垂直面内に位置しており）、第１扉体３の第２見付面３２と第２扉体４の第２見付面４２は面一である（同一垂直面内に位置している）。
【００２０】
第１扉体３の戸先側縦枠３０は、第１扉体３の全高に亘って延びており、図５に示すように、第１扉体３の閉鎖姿勢時において避難連絡坑側Ｂに位置する内側見付面３００と、第１扉体３の閉鎖姿勢時において車道トンネル側Ａに位置する外側見付面３０１と、開口部５に面する内側見込面３０２と、第１扉体３の戸先側端面を形成する外側見込面３０３と、を有している。
【００２１】
図５に示すように、第１扉体３の戸先側縦枠３０は、第１扉体３の板厚を越えて、第１見付面３１に対して、避難連絡坑側Ｂに延出する延出部分を有している。後述するように、第１扉体３の戸先側縦枠３０の延出部分は、引戸装置の戸先側縦枠を兼用している。戸先側縦枠３０の内側見込面３０２、外側見込面３０３は、第１扉体３の第１見付面３１から離間して避難連絡坑側Ｂに突出するように延びている。図５に示すように、戸先側縦枠３０の外側見付面３０１は、第１扉体３の第２見付面３２と面一である（同じ垂直面内に位置している）一方、戸先側縦枠３０の内側見付面３００は、第１扉体３の第１見付面３１に対して避難連絡坑側Ｂに位置している。
【００２２】
戸先側縦枠３０の避難連絡坑側Ｂの端部（避難連絡坑側Ｂに突出する部分の端部）には、外側見込面３０３（第１扉体３の戸先側端面）を越えて内側見込面３０２から離間するように開口幅方向に突出する突出部３０Ａが形成されており、内側見付面３００は、外側見込面３０３（第１扉体３の戸先側端面）を越えて内側見込面３０２から離間する方向に延出しており、内側見付面３０３の見付幅は、外側見付面３０１の見付幅よりも大きい。
【００２３】
第１扉体３、第２扉体４の閉鎖姿勢は、ラッチ機構によって固定されている。本実施形態では、グレモン錠からラッチ機構が構成されている。グレモン錠は、グレモンハンドルと、グレモンハンドルの回動操作によって上下動する上側ロッド１１、下側ロッド１２と、上側ロッド１１の上端に設けた係止部材１１０、下側ロッド１２の下端に設けた係止部材１２０と、を備え、上枠２２、下面ＦＬには、それぞれ、受孔１３、１４が形成されており、グレモンハンドルを施錠方向に回動して施錠姿勢とすることで、上側ロッド１１、下側ロッド１２を介して、係止部材１１０、１２０が受孔１３、１４に係止してロック状態となり、第１扉体３、第２扉体４の開放が規制される。すなわち、第１扉体３、第２扉体４は、それぞれ、係止部材１１０と受孔１３とからなる上側の係止部Ｌ１、係止部Ｌ３、係止部材１２０と受孔１４とからなる下側の係止部Ｌ２、係止部Ｌ４を備えている（図１参照）。また、開き扉の閉鎖姿勢時において、第１扉体３の第２見付面３２の戸尻側端部は縦枠２０に設けた気密部材Ｓに圧接されており、第２見付面３２の上端部は上枠２２に設けた気密部材Ｓに圧接されており、第２扉体４の第２見付面４２の戸尻側端部は縦枠２１に設けた気密部材Ｓに圧接されており、第２見付面４２の上端部は上枠２２に設けた気密部材Ｓに圧接されている。
【００２４】
第１扉体３の戸先側縦枠３０の内側見付面３００の所定高さ位置には、第１扉体３の操作部であるグレモンハンドルＨ１が設けてある。第１扉体３において、上側の係止部Ｌ１は上側ロッド１１の上端に設けてあり、下側の係止部Ｌ２は下側ロッド１２の下端に設けてあり、第１扉体３の上側ロッド１１の上端部、下側ロッド１２の下端部は、戸先側縦枠３０の内側見付面３００に支持されている。グレモンハンドルＨ１の回動操作に連動して上側ロッド１１、下側ロッド１２が軸方向に移動するようになっており、グレモンハンドルＨ１の回動操作によって、係止部Ｌ１、係止部Ｌ２が解錠姿勢と施錠姿勢（係止姿勢）を取るようになっている。すなわち、グレモンハンドルＨ１を施錠方向に回動して（第１操作）施錠姿勢とすることで、グレモン錠がロック状態となって第１扉体３の閉鎖姿勢が維持され、施錠姿勢にあるグレモンハンドルＨ１を解錠方向に回動する（第２操作）ことで、グレモン錠のロックが解除され、第１扉体３の開放が可能となる。第２扉体４の第１見付面４１の戸先側部位の所定高さ位置には、第２扉体４の操作部であるグレモンハンドルＨ２が設けてある。第２扉体４において、上側の係止部Ｌ３は上側ロッド１１の上端に設けてあり、下側の係止部Ｌ４は下側ロッド１２の下端に設けてあり、第２扉体４の上側ロッド１１の上端部、下側ロッド１２の下端部は、第２扉体４の第１見付面４１に支持されている。グレモンハンドルＨ２の回動操作に連動して上側ロッド１１、下側ロッド１２が軸方向に移動するようになっており、グレモンハンドルＨ２の回動操作によって、係止部Ｌ３、係止部Ｌ４が解錠姿勢と施錠姿勢（係止姿勢）を取るようになっている。すなわち、グレモンハンドルＨ２を施錠方向に回動して（第１操作）施錠姿勢とすることで、グレモン錠がロック状態となって第２扉体４の閉鎖姿勢が維持され、施錠姿勢にあるグレモンハンドルＨ２を解錠方向に回動する（第２操作）ことで、グレモン錠のロックが解除され、第２扉体４の開放が可能となる。本実施形態において、グレモンハンドルＨ１、Ｈ２は、第１扉体３、第２扉体４の開放操作のための取手とロック機構の要素を兼用しているが、ロック機構と独立して取手を設けてもよい。
【００２５】
第１扉体３の戸先側部位の下端には補助ローラＧＲが設けてあり、補助ローラＧＲは、第１扉体３の開閉移動時に、戸先側部位の下端を支持可能となっている。補助ローラＧＲは、常時床面ＦＬに接触していても、あるいは、常時は床面ＦＬから少し浮いており、戸先側部位が下がった時に着床して当該戸先側部位の下端を支持するものでもよい。本実施形態では、補助ローラＧＲは、第１扉体３の外側見込面３０３の第２部分３０３Ｂの下方部位に設けてあり、補助ローラＧＲは、避難連絡坑側Ｂから見た時に、戸先側縦枠３０の突出部３０Ａの背面に隠れている。１つの態様では、床面ＦＬには平面視円弧状で上面が平面状のガイドプレート（図示せず）が形成されており、補助ローラＧＲはガイドプレート上を走行可能となっている。補助ローラＧＲは、第１扉体３（引戸枠、第１スライド扉６、第２スライド扉７を含む）の前後方向における重心位置に設けることが望ましい。
【００２６】
第１扉体３の戸先側部位の下方部位には第１扉体３の開放姿勢固定に用いる係止ロッドＲ１が上下動可能に設けてあり、係止ロッドＲ１は上動位置では係止ロッドＲ１の下端は第１扉体３の戸先側部位（戸先側縦枠３０）の下端（より詳しくは、本実施形態では、戸先側縦枠３０の下端と略同面に位置する下枠１０の戸先側部位の下面１０２）と同面あるいは上側に位置しており、下動位置では、係止ロッドＲ１の下端は第１扉体３の戸先側部位（戸先側縦枠３０）の下端（下枠１０の戸先側部位の下面１０２）から下方に突出する。第１扉体３を開放姿勢まで回動した時に係止ロッドＲ１を下動させて床面の所定位置Ｃ１に設けた係止孔に係止させることで、第１扉体３の開放姿勢が固定される。
【００２７】
第２扉体４の戸先側部位の下方部位には第２扉体４の開放姿勢固定に用いる係止ロッドＲ２が上下動可能に設けてあり、係止ロッドＲ２は上動位置では係止ロッドＲ２の下端は第２扉体４の下面４５の戸先側部位と同面あるいは上側に位置しており、下動位置では、係止ロッドＲ２の下端は第２扉体４の下面４５の戸先側部位から下方に突出する。第２扉体４を開放姿勢まで回動した時に係止ロッドＲ２を下動させて床面の所定位置Ｃ２に設けた係止孔に係止させることで、第２扉体４の開放姿勢が固定される。本実施形態では、係止ロッドＲ２は、第２扉体４の第１見付面４１の戸先側部位の下方部位に設けてある。
【００２８】
開き扉の閉鎖姿勢時において、第２扉体４の第２見付面４２の戸先側部位に設けた目板部４０の気密部材が、第１扉体３の戸先側縦枠３０の外側見付面３０１に当接しており、目板部４０によって、第１扉体３の戸先側端面（戸先側縦枠３０の外側見込面３０３）と第２扉体４の戸先側端面４３との間の隙間を塞いでいる。
【００２９】
第１扉体３、第２扉体４は、それぞれドアクローザＤＣ１、ＤＣ２を備えている。係止ロッドＲ１を上動させて第１扉体３の開放姿勢固定を解除することで、第１扉体３はドアクローザＤＣ１によって閉鎖姿勢まで回動する。係止ロッドＲ２を上動させて第２扉体４の開放姿勢固定を解除することで、第２扉体４はドアクローザＤＣ２によって閉鎖姿勢まで回動する。
【００３０】
第１スライド扉６は正面視長方形状のパネルであり、戸先側端面６０、戸尻側端面６１、上端面６２、避難連絡坑側Ｂに位置する第１見付面６５、車道トンネル側Ａに位置する第２見付面６６、を備えており、第１見付面６５、第２見付面６６の戸先側部位には取手Ｈ３が設けてある。第１スライド扉６の上端面６２には、ハンガーローラアセンブリＨＲ１（第１ハンガーローラ６４、第２ハンガーローラ６５）が設けてある。第２スライド扉７は正面視長方形状のパネルであり、戸先側端面７０、戸尻側端面７１、上端面７２、避難連絡坑側Ｂに位置する第１見付面７５、車道トンネル側Ａに位置する第２見付面７６、を備えており、上端面７２にはハンガーローラアセンブリＨＲ２が設けてある。第１スライド扉６に設けた取手Ｈ３を用いて、第１スライド扉６を開放させることで、第１スライド扉６、第２スライド扉７を開放させるようになっている。より詳しくは、第１スライド扉６の第２見付面６６の戸尻側部位には第１係止片６６０、第２係止片６６１が形成されており、第２スライド扉７の第１見付面７５の戸先側部位には第１係止片７５０が形成されており、戸尻側部位には第２係止片７５１が形成されており、第２見付面７６の戸尻側部位には第３係止片７６０が形成されている。引き戸の閉鎖姿勢時には、第１スライド扉６の第２見付面６６の戸尻側部位と第２スライド扉７の第１見付面７５の戸先側部位が離間対向しており、第１スライド扉６の第１係止片６６０と第２スライド扉７の第１係止片７５０が係合している（図５参照）。第２スライド扉７の第３係止片７６０は、第１扉体３の第１見付面３１において、開口部５の側面３７に隣接して形成した係止片３７０に係合している。第１スライド扉６が開放方向にスライド移動すると、戸尻側に移動する第１スライド扉６の第２係止片６６１が第２スライド扉７の第２係止片７５１に係合して、第１スライド扉６と第２スライド扉７が一体で開放方向にスライド移動して開放姿勢となる。引戸装置は、手動で開放した第１スライド扉６を自動で閉鎖させる自動閉鎖機構（詳細は甲後述する）を備えている。開放姿勢から自動閉鎖機構によって第１スライド扉６が閉鎖方向にスライド移動すると、戸先側に移動する第１スライド扉６の第１係止片６６０が第２スライド扉７の第１係止片７５０に係合して、第１スライド扉６と第２スライド扉７が一体で閉鎖方向にスライド移動して閉鎖姿勢となる。
【００３１】
引戸装置の第１スライド扉６、第２スライド扉７は、第１扉体３の開口部５の避難連絡坑側Ｂに位置して開口部５を開閉するようになっており、第１扉体３には、避難連絡坑側Ｂに位置して引戸枠が設けてある。引戸枠は、第１扉体３の戸先側縦枠３０の延出部分からなる戸先側縦枠と、第１見付面３１に突設した戸尻側縦枠８と、第１見付面３１に突設した上枠９と、第１見付面３１の下端から持ち出し状に突設した下枠１０と、からなる（図１、図４、図５参照）。
【００３２】
引戸枠の戸先側縦枠は、戸先側縦枠３０の延出部分によって形成されており、戸先側縦枠３０の内側見込面３０２の第２部分３０２Ｂに形成した凹面３０２´が、閉鎖姿勢にある第１スライド扉６の戸先側端面６０の戸当たりとなっている（図５参照）。
【００３３】
引戸枠の戸尻側縦枠８は、上枠９と下枠１０間に亘って、第１見付面３０に対して持ち出し状に固定されており、避難連絡坑側Ｂに位置する内側見付面８０と、戸先側縦枠３０の内側見込面３０２に離間対向する内側見込面８１を備えており、内側見込面８１が、開放姿勢にある第１スライド扉６の戸尻側端面６１、第２スライド扉７の戸尻側端面７１の戸当たりとなっている。
【００３４】
引戸枠の上枠９の内部には、段違い状の２本のハンガーレール９０、９１と、自閉装置ＤＣ３が設けてあり、上枠９の下方部位には、引戸の第１扉体６、第２扉体７の上端部が受け入れられている。引戸枠の下枠１０は、戸先側縦枠（戸先側縦枠３０の延出部分）と戸尻側縦枠８の下端間を架け渡し、かつ、第１見付面３１の下端に位置して避難連絡坑側Ｂに持ち出し状に支持されている。下枠１０には、ハンガーレール９０、９１の直下に位置して凸状のガイドレール１００、１０１が設けてある。
【００３５】
第１スライド扉６は、上端のハンガーローラアセンブリＨＲ１がハンガーレール９０上を転動し、下端のガイドローラＧＲ１がガイドレール１００上を転動することで、左右方向にスライド移動可能となっている。第２スライド扉７は、上端のハンガーローラＲ２がハンガーレール９１上を転動し、下端のガイドローラＧＲ２がガイドレール１０１上を転動することで、左右方向にスライド可能となっている。
【００３６】
図７に示すように、第１スライド扉６に設けたハンガーローラアセンブリＨＲ１は、第１スライド扉６の上端面６２の戸尻側に寄った位置に設けた第１ハンガーローラ６３と戸先側に寄った位置に設けた第２ハンガーローラ６４を備えている。
【００３７】
第１ハンガーローラ６３は、第１スライド扉６の上端面６２に立ち上がり状に設けたブラケット６３０に回転自在に支持されており、ブラケット６３０には、第１ハンガーローラ６３よりも下方に位置して避難連絡坑Ｂ側に突出する突出部６３１が形成されており、突出部６３１の戸先側部位にはバネ６３２Ａによって支持された当接部６３２が設けてある。バネ６３２Ａは、当接部６３２と当接体６３３が当たった時の衝撃を和らげる緩衝部材として機能する。
【００３８】
第１ハンガーローラ６３の突出部６３１には、第２ワイヤＷ２が挿通しており、第１ハンガーローラ６３の当接部６３２には、第２ワイヤＷ２に固定された当接体６３３が戸尻側へ向かって当接しており、引戸開放装置１７によって第２ワイヤＷ２が戸尻側（開放方向）へ移動することによって、第１ハンガーローラ６３（第１スライド扉６）が戸尻側（開放方向）へ移動して開口部５を開放する。
【００３９】
第２ハンガーローラ６４は、第１スライド扉６の上端面６２に立ち上がり状に設けたブラケット６４０に回転自在に支持されており、ブラケット６４０には、第２ハンガーローラ６４よりも下方に位置して避難連絡坑Ｂ側に突出する突出部６４１が形成されており、突出部６４１の戸尻側端部にはバネ６４２Ａによって支持された当接部６４２が設けてある。バネ６４２Ａは、当接部６４２と当接体６４３が当たった時の衝撃を和らげる緩衝部材として機能する。
【００４０】
第２ハンガーローラ６４の突出部６４１には、第１ワイヤＷ１が挿通しており、第２ハンガーローラ６４の当接部６４２には、第１ワイヤＷ１に固定された当接体６４３が戸先側へ向かって当接しており、自閉装置ＤＣ３によって第１ワイヤＷ１が戸先側（閉鎖方向）へ移動することによって、第２ハンガーローラ６４（第１スライド扉６）が戸先側（閉鎖方向）へ移動して開口部５を閉鎖する。
【００４１】
第１ワイヤＷ１と第２ワイヤＷ２は異なる高さで第１スライド扉６の移動方向に水平に延びており、本実施形態では、第１ワイヤＷ１が上側に位置し、第２ワイヤＷ２が下側に位置する。第１ハンガーローラ６３の下方に形成した突出部６３１と第２ハンガーローラ６４の下方に形成した突出部６４１は異なる高さで突出しており、本実施形態では、突出部６４１が上側に位置し、突出部６３１が下側に位置する。
【００４２】
図７〜図９に示すように、手動で開放した第１スライド扉６を自動で閉鎖させる自動閉鎖機構は、第１スライド扉６の移動方向に水平に延びる第１ワイヤＷ１と、上枠９の戸先側部位に設けてあり、第１ワイヤＷ１の一端側（戸先側）を巻き取る自閉装置（第１巻取装置）ＤＣ３と、上枠９の戸尻側部位に設けてあり、第１ワイヤＷ１の他端側（戸尻側）を巻き取る巻取装置（第２巻取装置）１５と、を備え、第１ワイヤＷ１の戸先側はガイドプーリ１６に巻回されて斜め上方に案内され、さらに自閉装置ＤＣ３のガイドプーリ１６１に案内されて、巻取ドラム１６０に巻き取られる。自閉装置ＤＣ３の巻取方向の付勢力は、巻取装置１５の巻取ドラム１５０の巻取方向の付勢力よりも大きく、第１ワイヤＷ１は戸先側（閉鎖方向）に付勢されている。
【００４３】
第１ワイヤＷ１には当接体６４３が設けてあり、第１スライド扉６が閉鎖姿勢にある時に、当接体６４３が第２ハンガーローラ６４の当接部６４２の戸尻側に位置して、当接部６４２に当接している。閉鎖姿勢にある第１スライド扉６を自閉装置ＤＣ３の付勢力に抗して手動で戸尻側（開放方向）にスライド移動させると、当接部６４２が当接体６４３に当接して第１ワイヤＷ１を戸尻側へ移動させることで、第１ワイヤＷ１が自閉装置ＤＣ３の巻取ドラム１６０から引き出されながら戸尻側へ移動し、戸尻側へ移動した分は巻取装置１５の巻取ドラム１５０に巻き取られる。手動開放した第１スライド扉６から手を離すと、第１スライド扉６は、例えばタイマーによって、開放姿勢を所定時間維持した後に、自閉装置ＤＣ３の閉鎖力によって、第１スライド扉６が戸先側へスライド移動して、開口部５を閉鎖する。
【００４４】
図７、図８、図１０に示すように、第１扉体３の開放操作に連動して第１スライド扉６を自動で開放させる引戸開放機構は、第１スライド扉６の幅方向に水平に延びる第２ワイヤＷ２と、上枠９の戸尻側部位に設けてあり、第２ワイヤＷ２の一端側（戸尻側）を巻き取る引戸開放装置（第１巻取装置）１７と、上枠９の戸先側部位に設けてあり（本実施形態では、第１扉体３の戸先側縦枠３０の内側見込面３０２の避難連絡坑側Ｂに固定されている）、第２ワイヤＷ２の他端側を巻き取るロック付き巻取装置（第２巻取装置）１８と、を備え、第２ワイヤＷ２の戸尻側はガイドプーリ１９に巻回されて斜め上方に案内され、引戸開放装置１７の巻取ドラム１７０に巻き取られる。引戸開放装置１７の巻取ドラム１７０の巻取方向の付勢力は、巻取装置１８の巻取方向の付勢力よりも大きく、かつ、自閉装置ＤＣ３の巻取ドラム１６０の巻取方向の付勢力よりも大きい。
【００４５】
第２ワイヤＷ２には当接体６３３が設けてあり、第１スライド扉６が閉鎖姿勢にある時に、当接体６３３が第１ハンガーローラ６３の当接部６３２の戸先側に位置して、当接部６３２に当接している。巻取装置１８は、巻取ドラム（図示せず）を備えており、巻取装置１８の巻取ドラムが第１の方向に回転すると第２ワイヤＷ２が繰り出されて戸尻側（開放方向）に移動し、巻取ドラムが第２の方向に回転すると第２ワイヤＷ２が巻き取られて戸先側（閉鎖方向）に移動する。
【００４６】
巻取装置１８は、ロック装置付き巻取装置であって、ロック装置がロック状態にある時には、巻取装置１８の巻取ドラムの第１の方向の回転が規制されており、第２の方向の回転は許容されている。このようなロック装置付き巻取装置は、ラチェット機構を備えた巻取ドラムを用いて構成することができ、例えば、巻取ドラムの周縁にラチェット歯車を形成し、ラチェット歯車に爪部が係止した時には、巻取ドラムの第１の方向の回転を規制し、第２の方向の回転を許容する。
【００４７】
巻取装置１８のロック装置は、レバー１８０の回動によって、ロック状態とロック解除状態が切り替わるようになっている。例えば、レバー１８０とラチェット機構の爪部が伝動連結されており、レバー１８０の回動によって爪部がラチェット歯車に係脱するようになっている。図示の例では、レバー１８０が下方に回動している状態では巻取装置１８のロック装置はロック状態にあり、レバー１８０が上方に回動するとロック装置はロック状態からロック解除状態となる。
【００４８】
本実施形態では、第１扉体３のグレモンハンドルＨ１の回動操作に伴う上側ロッド１１の昇降に連動して、レバー１８０が回動するようになっている。具体的には、第１扉体３の開放時に、グレモンハンドルＨ１を上側に回動して上側ロッド１１を上動させる時に、上側ロッド１１の上動に連動してレバー１８０の先端側が上方に移動して、レバー１８０が上方に回動してロック解除状態となる。第１扉体３の閉鎖姿勢を固定する時に、グレモンハンドルＨ１を下側に回動して上側ロッド１１を下動させる時に、上側ロッド１１の下動に連動してレバー１８０の先端側が下方に移動して、レバー１８０が下方に回動してロック状態となる。
【００４９】
閉鎖姿勢にある第１扉体３のグレモンハンドルＨ１を解錠方向に回動すると、レバー１８０がロック解除方向に回動して、巻取装置１８のロック装置のロックが解除され、巻取装置１８の巻取ドラムの第１方向への回転規制が解除され、引戸開放装置１７によって第２ワイヤＷ２が巻き取られて第２ワイヤＷ２が戸尻側（開放方向）へ移動し、当接体６３３が当接部６３２に当接して戸尻側へ移動させることで、第１ハンガーローラ６３（第１スライド扉６）が戸尻側（開放方向）へ移動して、開口部５を開放する。第１スライド扉６の開放姿勢は、引戸開放装置１７によって維持される。
【００５０】
引戸開放装置１７によって開放姿勢となった第１スライド扉６を閉鎖する場合には、グレモンハンドルＨ１を下側に回動して上側ロッド１１を下動させてレバー１８０を下方に回動させてロック状態とし、手動で第１スライド扉６を戸先側へスライド移動させることで閉鎖姿勢とする。第１スライド扉６が戸先側へスライド移動する時には、第２の方向に回転する巻取ドラムによって第２ワイヤＷ２の戸先側が巻き取られる。
【００５１】
車両用開口部を形成する場合には、第１扉体３、第２扉体４を開放させるが、本実施形態では、第１扉体３の開放操作に連動して、第１スライド扉６が自動開放する（第１スライド扉６が開放姿勢となる過程で第２スライド扉７も開放姿勢となる）。
図１１〜図１３を参照しつつ、第１扉体３の開放操作に伴う、引戸開放機構を用いた第１スライド扉６の自動開放、自動開放した第１スライド扉６の手動閉鎖について説明する。
図１１（Ａ）は、第１扉体３、第１スライド扉６が閉鎖姿勢にあり、グレモンハンドルＨ１は施錠姿勢にあり、巻取装置１８のレバー１８０はロック姿勢にあり、巻取装置１８のロック装置はロック状態にある。第２ワイヤＷ２の戸尻側（開放方向）への移動は規制されている。
図１１（Ｂ）では、第１扉体３を開放するためにグレモンハンドルＨ１が施錠姿勢から解錠姿勢に回動されており、巻取装置１８のレバー１８０がロック解除姿勢にあり、巻取装置１８のロック装置はロック解除状態にある。第２ワイヤＷ２の戸尻側（開放方向）への移動規制が解除されて、引戸開放装置１７によって第１スライド扉６が戸尻側へ少しスライド移動した状態を示している。
図１２（Ｃ）は、引戸開放装置１７によって、第１スライド扉６が開放姿勢までスライド移動した状態を示す。引戸開放装置により第２ワイヤＷ２を引っ張る力は、自閉装置ＤＣ３により第１ワイヤＷ１を引っ張る力よりも大きいため、第１スライド扉６の戸尻側（開放方向）への移動時には第１ワイヤＷ１が自閉装置ＤＣ３の巻取ドラム１６０から引き出されていき、また、引戸開放装置によって第１スライド扉６の開放姿勢が維持される。
図１１（Ｂ）、図１２（Ｃ）に示す第１スライド扉６の開放と並行して、第１扉体３が開放可能となる。第１スライド扉６の開放によって第１扉体３に開口部５が形成されることで、第１扉体３の面部に作用する風圧力が軽減され、第１扉体３を回動させる際の操作性が良い。
図１２（Ｄ）は、第１扉体３を閉鎖姿勢に戻した後に、第１扉体３の閉鎖姿勢を固定するためにグレモンハンドルＨ１が解錠姿勢から施錠姿勢に回動されており、巻取装置１８のレバー１８０はロック姿勢にあり、巻取装置１８のロック装置はロック状態にある。第２ワイヤＷ２の戸尻側（開放方向）への移動は規制される。
図１２（Ｄ）の状態から手動で第１スライド扉６を戸先側（閉鎖方向）へ移動させることで第１スライド扉６を閉鎖姿勢とする（図１３（Ｅ）、（Ｆ））。この時、戸先側（閉鎖方向）へ移動する第１ハンガーローラ６３の当接部６３２が当接体６３３を押すことで、第２ワイヤＷ２が巻取装置１８に巻き取られていく。第２ワイヤＷ２の戸尻側（開放方向）への移動は規制されているので、第１スライド扉６の閉鎖姿勢が維持される。
【００５２】
人道用開口部を形成する場合には、第１スライド扉６に設けた取手Ｈ３を用いて、第１スライド扉６を開放させることで、第１スライド扉６、第２スライド扉７を開放させるようになっている。第１スライド扉６、第２スライド扉７を開放させた状態で取手Ｈ３から手を離すと、自閉装置ＤＣ３によって、第１スライド扉６、第２スライド扉７が閉鎖方向に移動して閉鎖姿勢となる。
図１４〜図１６を参照しつつ、第１スライド扉６の手動開放、手動開放した第１スライド扉６の自動閉鎖について説明する。
図１４（Ａ）は、第１扉体３、第１スライド扉６が閉鎖姿勢にあり、グレモンハンドルＨ１は施錠姿勢にあり、巻取装置１８のレバー１８０はロック姿勢にあり、巻取装置１８のロック装置はロック状態にある。第２ワイヤＷ２の戸尻側（開放方向）への移動は規制されている。
図１４（Ａ）の状態から、第１スライド扉６の閉鎖姿勢を維持したままで、手動で第１スライド扉６を戸尻側（開放方向）へ移動させる。この時、第１スライド扉６（第２ハンガーローラ６４）の移動に伴って、第１ワイヤＷ１が自閉装置ＤＣ３の巻取ドラム１６０から引き出されていき、開放姿勢まで移動する（図１５（Ｃ））。この時、第１ハンガーローラ６３は、引き出しが規制された第２ワイヤＷ２に沿って戸尻側（開放方向）へ移動する。
第１スライド扉６が開放姿勢まで移動すると、自閉装置ＤＣ３のタイマーによって開放姿勢（図３参照）を所定時間（例えば１分間）保持するようになっている。
その後、自閉装置ＤＣ３の作動によって、戸先側（閉鎖方向）に移動する第１ワイヤＷ１上の当接体６４３が第２ハンガーローラ６４の当接部６４２を押すことで、第１スライド扉６は自動で戸先側（閉鎖方向）に移動して閉鎖姿勢となる（図１６（Ｄ）、（Ｅ））。
図１４（Ｂ）、図１５（Ｃ）、図１６（Ｄ）における当接部６３３の位置から明らかなように、当接体６３３は移動していない。
【００５３】
このように構成された避難連絡坑ドアにおいて、通常時には、閉鎖姿勢にある開き扉によって開口部１が閉鎖され、閉鎖姿勢にある引き戸によって開口部５が閉鎖されている。災害時等に車両用開口部を形成したい場合には、グレモンハンドルＨ１を回動して第１扉体３の閉鎖姿勢のロックを解除すると、グレモンハンドルＨ１の回動操作に連動して巻取装置１８のロック装置がロック解除状態となって、引戸開放装置１７によって、第１スライド扉６が開放する。
【００５４】
第１スライド扉６が開放することで、第１扉体３の面部に作用する圧力が軽減された状態で第１扉体３を避難連絡坑側Ｂに開放することが可能となり、第１扉体３を開放姿勢まで回動し、係止ロッドＲ１を下動して第１扉体３の開放姿勢を維持する。次いで、グレモンハンドルＨ２を回動して第２扉体４の閉鎖姿勢のロックを解除し、第２扉体４を避難連絡坑Ｂ側に開放して、係止ロッドＲ２を下動して第１扉体３の開放姿勢を維持することで、車両用開口部を形成する。
【００５５】
災害時等に人道用開口部を形成したい場合には、取手Ｈ３を掴んで第１スライド扉６、第２スライド扉７を開放することで、開き扉の閉鎖姿勢を維持したままで、人道用開口部を形成することができる。
【００５６】
図１７〜図２９に基づいて、本発明の第２実施形態について説明する。第２実施形態と既述の実施形態とは主として第２巻取装置の構成について異なるものである。すなわち、第２実施形態に係る避難扉は、既述の実施形態の巻取装置１８及びレバー１８に代えて、巻取装置１８´及び作動ワイヤＷ３を備えている点に特徴を有するものである。第２実施形態に係る避難扉の他の構成や動作については既述の実施形態に係る避難扉と実質的に同じであり、第２実施形態の説明には既述の実施形態の説明を援用することができる。第２実施形態を示す図１７〜図２９において、既述の実施形態と同じ要素については同一の参照番号が付してある。以下、第２実施形態に係る避難扉について、上記特徴を中心に説明する。
【００５７】
第１扉体３の開放操作に連動して第１スライド扉６を自動で開放させる引戸開放機構は、第１スライド扉６の幅方向に水平に延びる第２ワイヤＷ２と、上枠９の戸尻側部位に設けてあり、第２ワイヤＷ２の一端側（戸尻側）を巻き取る引戸開放装置（第１巻取装置）１７と、上枠９の戸先側部位に設けてあり、第２ワイヤＷ２の他端側を巻き取るロック付き巻取装置（第２巻取装置）１８´と、を備えている。第２ワイヤＷ２の戸尻側はガイドプーリ１９Ａに巻回されて上方に案内され、引戸開放装置１７の巻取ドラム１７０に巻き取られる。第２ワイヤＷ２の戸先側はガイドプーリ１９Ｂに巻回されて上方に案内され、ロック付き巻取装置１８´の巻取ドラム１８１の巻取周面１８１０に巻き取られる。引戸開放装置１７の巻取ドラム１７０の巻取方向の付勢力は、巻取装置１８´の巻取ドラム１８１の巻取方向の付勢力よりも大きく、かつ、自閉装置ＤＣ３の巻取ドラム１６０の巻取方向の付勢力よりも大きい。ガイドプーリ１９Ｂの巻き掛け部の下方部位に対向して周方向に間隔を存して複数本（図示の態様では３本）のガイドピン１９０Ｂが設けてある（図１９、図２４）。ガイドプーリ１９Ｂの巻き掛け部とガイドピン１９０Ｂとの間隔は、第２ワイヤＷ２が弛んだ時であっても、第２ワイヤＷ２が外れない寸法となっている。
【００５８】
図１９、図２２（Ａ）に示すように、第２ワイヤＷ２には当接体６３３が設けてあり、第１スライド扉６が閉鎖姿勢にある時に、当接体６３３が第１ハンガーローラ６３の当接部６３２の戸先側に位置して、当接部６３２に当接している。巻取装置１８´の巻取ドラム１８１が第１の方向に回転すると第２ワイヤＷ２が繰り出されて戸尻側（開放方向）に移動し、巻取ドラム１８１が第２の方向に回転すると第２ワイヤＷ２が巻き取られて戸先側（閉鎖方向）に移動する。
【００５９】
巻取装置１８´は、ロック装置付き巻取装置であって、ロック装置がロック状態にある時には、巻取装置１８´の巻取ドラム１８１の第１の方向の回転が規制されており、第２の方向の回転は許容されている。本実施形態では、図２３に示すように、ロック装置は、巻取ドラム１８１に連結されており、巻取ドラム１８１と一体で回転可能なラチェット歯車１８２と、ラチェット歯車１８２の歯に係脱可能な回動係止体１８３と、を備え、回動係止体１８３は、ラチェット歯車１８２に係止してラチェット歯車１８２の第１の方向の回転を規制する第１姿勢（図２３（Ｂ））と、ラチェット歯車１８２との係合が外れてラチェット歯車１８２の第１の方向の回転を許容する第２姿勢（図２３（Ｃ））との間で回動可能となっている。
【００６０】
図２３（Ｂ）に示すように、本実施形態に係る回動係止体１８３は、第１部分１８３０と第２部分１８３１とからブーメラン状の形状を備えており、第１部分１８３０の先端に爪部１８３Ａが一体形成されており、第１部分１８３０の基端が回動支点１８３Ｂとなっている。第２部分１８３１は第１部分の基端から延びており、第２部分１８３１の端部には被当接部１８３Ｃが一体形成されている。回動係止体１８３は、バネ１８３２によって、第１姿勢を保持する方向に付勢されている。
【００６１】
巻取装置１８´には、ロック装置に隣接して（図示の態様では、巻取ドラム１８１の上側に位置して）、回動体１８４が設けてあり、回動体１８４には板状のカム１８５が連結されており、回動体１８４とカム１８５が一体で回動可能となっている。回動体１８４は、図示しないバネによって、第１姿勢を維持する方向に付勢されている。回動係止体１８３の被当接部にはカム１８５の周面が接触している。回動体１８４の回動中心からカム１８５の周面までの距離は、周面の周方向に変化しており、回動体１８４の姿勢によって、回動体１８４の中心から回動係止体１８３の被当接部（カム１８５の周面との接触部）１８３Ｃの距離が変化する。
【００６２】
回動体１８４及びカム１８５が第１姿勢にある時に、回動係止体１８３は第１姿勢にあり、回動係止体１８３の第１姿勢が保持されている。回動体１８４及びカム１８５が第１姿勢から第２姿勢に回動する時に、回転するカム１８５の周面によって回動係止体１８３の被当接部１８３Ｃが下方に押し下げられ、第１姿勢にある回動係止体１８３が回動支点１８３Ｂを中心に第２姿勢に回動して、第１部分の先端の爪部１８３Ａがラチェット歯車１８２から外れてロックが解除される。
【００６３】
巻取装置１８´は、ボックス状の筐体１８６を備え、巻取ドラム１８１及び回動体１８４は筐体１８６の前面の外側に露出しており、ラチェット歯車１８２、回動係止体１８３、カム１８５は筐体１８６内部に設けてある。本実施形態において、巻取装置１８´は、自閉装置ＤＣ３よりも戸尻側に位置しており、上枠９内のスペースを有効活用している。
【００６４】
回動体１８４と上側ロッド１１は、作動ワイヤＷ３によって連結されている。より具体的には、作動ワイヤＷ３の第１端部（戸尻側端部）は回動体１８４に連結されており、作動ワイヤＷ３の第２端部（戸先側端部）は上側ロッド１１に連結されている。巻取装置１８´のロック装置は、作動ワイヤＷ３の移動に連動して、ロック状態とロック解除状態が切り替わるようになっている。上側ロッド１１の上動に伴って、作動ワイヤＷ３の第２端部側が引っ張られることで、第１姿勢にある回動体１８４及びカム１８５が回動して第２姿勢となり、回動係止体１８３が第１姿勢から第２姿勢となってロック解除状態となる。上動した上側ロッド１１の下動に伴って作動ワイヤＷ３の引っ張り力が解除されると、回動体１８４は付勢手段（バネ等）によって、第１姿勢に復帰する。
【００６５】
作動ワイヤＷ３の第１端部は、回動体１８４の周面に巻き掛けされて当該周面に固定されている。作動ワイヤＷ３の第２端部は、上側ロッド１１に持ち出し状に突設した固定部１１１に固定されている。作動ワイヤＷ３はアウターワイヤ１８７内を挿通している。アウターワイヤ１８７の第１端部（戸尻側端部）は、巻取装置１８´の筐体１８６の前面に設けた固定部１８７０に固定されており、アウターワイヤ１８７の第２端部（戸先側端部）は、第１扉体３の戸先側縦枠３０の内側見付面３００の所定高さ位置に設けた固定部１８７１に固定されている。アウターワイヤ１８７の第２端部側部位は、正面視において上側ロッド１１と同一軸線上で垂直に延びている（図２５）。第１扉体３の戸先側縦枠３０の内側見付面３００には、作動ワイヤＷ３の第２端部側部位、固定部１１１、アウターワイヤ１８７の第２端部側部位、固定部１８７１を覆うようにカバーボックス１８８が設けてある。
【００６６】
本実施形態では、第１扉体３のグレモンハンドルＨ１の回動操作に伴う上側ロッド１１の上動によって、作動ワイヤＷ３の第２端部側が引っ張られる。具体的には、第１扉体３の開放時に、グレモンハンドルＨ１を上側に回動して上側ロッド１１を上動させる時に、上側ロッド１１の上動と共に固定部１１１が上昇することで、作動ワイヤＷ３の第２端部側が引っ張られ、回動体１８４及びカム１８５が第１姿勢から第２姿勢に回動し、回動係止体１８３が第１姿勢から第２姿勢に回動することで、回動係止体１８３とラチェット歯車１８２の係合が外れて、ロック解除状態となる。第１扉体３の閉鎖姿勢を固定する時に、グレモンハンドルＨ１を下側に回動して上側ロッド１１を下動させる時に、上側ロッド１１の下動と共に固定部１１１が下降することで、引張状態にある作動ワイヤＷ３が緩み、回動体１８４及びカム１８５が第２姿勢から第１姿勢に回動し、回動係止体１８３が第２姿勢から第１姿勢に回動することで、回動係止体１８３がラチェット歯車１８２に係合して、ロック状態となる。
【００６７】
閉鎖姿勢にある第１扉体３のグレモンハンドルＨ１を解錠方向に回動すると、作動ワイヤＷ３を介して、巻取装置１８´のロック装置のロックが解除され、巻取装置１８´の巻取ドラム１８１の第１方向への回転規制が解除され、引戸開放装置１７によって第２ワイヤＷ２が巻き取られて第２ワイヤＷ２が戸尻側（開放方向）へ移動し、当接体６３３が当接部６３２に当接して戸尻側へ移動させることで、第１ハンガーローラ６３（第１スライド扉６）が戸尻側（開放方向）へ移動して、開口部５を開放する。第１スライド扉６の開放姿勢は、引戸開放装置１７によって維持される。
【００６８】
引戸開放装置１７によって開放姿勢となった第１スライド扉６を閉鎖する場合には、グレモンハンドルＨ１を下側に回動して上側ロッド１１を下動させて作動ワイヤＷ３の引張状態を解除させてロック状態とし、手動で第１スライド扉６を戸先側へスライド移動させることで閉鎖姿勢とする。第１スライド扉６が戸先側へスライド移動する時には、第２の方向に回転する巻取ドラム１８１によって第２ワイヤＷ２の戸先側が巻き取られる。
【００６９】
車両用開口部を形成する場合には、第１扉体３、第２扉体４を開放させるが、本実施形態では、第１扉体３の開放操作に連動して、第１スライド扉６が自動開放する（第１スライド扉６が開放姿勢となる過程で第２スライド扉７も開放姿勢となる）。図２６、図２７を参照しつつ、第１扉体３の開放操作に伴う、引戸開放機構を用いた第１スライド扉６の自動開放、自動開放した第１スライド扉６の手動閉鎖について説明する。
【００７０】
図２６（Ａ）は、第１扉体３、第１スライド扉６が閉鎖姿勢にあり、グレモンハンドルＨ１は施錠姿勢にあり、作動ワイヤＷ３は、回動体１８４の付勢力によって、回動体１８４の周面に巻回されており、回動体１８４、カム１８５、回動係止体１８３は第１姿勢にあり、巻取装置１８´のロック装置はロック状態にある。第２ワイヤＷ２の戸尻側（開放方向）への移動は規制されている。
【００７１】
図２６（Ｂ）では、第１扉体３を開放するためにグレモンハンドルＨ１が施錠姿勢から解錠姿勢に回動されており、上側ロッド１１の上動に伴って作動ワイヤＷ３の他端側が引っ張られ、回動体１８４、カム１８５、回動係止体１８３は第１姿勢から第２姿勢に回動し、巻取装置１８´のロック装置はロック解除状態にある。第２ワイヤＷ２の戸尻側（開放方向）への移動規制が解除されて、第２ワイヤＷ２上の当接体６３３が第１ハンガーローラ６３の当接部６３２を押すことで、引戸開放装置１７によって第１スライド扉６が戸尻側へ少しスライド移動した状態を示している。
【００７２】
図２６（Ｃ）は、引戸開放装置１７によって、第１スライド扉６が開放姿勢までスライド移動した状態を示す。引戸開放装置により第２ワイヤＷ２を引っ張る力は、自閉装置ＤＣ３により第１ワイヤＷ１を引っ張る力よりも大きいため、第１スライド扉６の戸尻側（開放方向）への移動時には第１ワイヤＷ１が自閉装置ＤＣ３の巻取ドラム１６０から引き出されていき、また、引戸開放装置によって第１スライド扉６の開放姿勢が維持される。
【００７３】
図２６（Ｂ）、図２６（Ｃ）に示す第１スライド扉６の開放と並行して、第１扉体３が開放可能となる。第１スライド扉６の開放によって第１扉体３に開口部５が形成されることで、第１扉体３の面部に作用する風圧力が軽減され、第１扉体３を回動させる際の操作性が良い。
【００７４】
図２７（Ｄ）は、第１扉体３を閉鎖姿勢に戻した後に、第１扉体３の閉鎖姿勢を固定するためにグレモンハンドルＨ１が解錠姿勢から施錠姿勢に回動されており、上側ロッド１１の下動に伴って作動ワイヤＷ３の他端側の引張力が無くなり、回動体１８４、カム１８５、回動係止体１８３は第２姿勢から第１姿勢に回動し、巻取装置１８´のロック装置はロック状態にある。第２ワイヤＷ２の戸尻側（開放方向）への移動は規制さる。
【００７５】
図２７（Ｄ）の状態から手動で第１スライド扉６を戸先側（閉鎖方向）へ移動させることで第１スライド扉６を閉鎖姿勢とする（図２７（Ｅ）、（Ｆ））。この時、戸先側（閉鎖方向）へ移動する第１ハンガーローラ６３の当接部６３２が当接体６３３を押すことで、第２ワイヤＷ２が巻取装置１８´の巻取ドラム１８１に巻き取られていく。第２ワイヤＷ２の戸尻側（開放方向）への移動は規制されているので、第１スライド扉６の閉鎖姿勢が維持される。
【００７６】
人道用開口部を形成する場合には、第１スライド扉６に設けた取手Ｈ３を用いて、第１スライド扉６を開放させることで、第１スライド扉６、第２スライド扉７を開放させるようになっている。第１スライド扉６、第２スライド扉７を開放させた状態で取手Ｈ３から手を離すと、自閉装置ＤＣ３によって、第１スライド扉６、第２スライド扉７が閉鎖方向に移動して閉鎖姿勢となる。図２８、図２９を参照しつつ、第１スライド扉６の手動開放、手動開放した第１スライド扉６の自動閉鎖について説明する。
【００７７】
図２８（Ａ）は、第１扉体３、第１スライド扉６が閉鎖姿勢にあり、グレモンハンドルＨ１は施錠姿勢にあり、巻取装置１８´のロック装置はロック状態にある。第２ワイヤＷ２の戸尻側（開放方向）への移動は規制されている。図２８（Ａ）の状態から、第１スライド扉６の閉鎖姿勢を維持したままで、手動で第１スライド扉６を戸尻側（開放方向）へ移動させる。この時、第１スライド扉６（第２ハンガーローラ６４）の移動に伴って、第２ハンガーローラ６４の当接部６４２が当接体６４３を押すことで、第１ワイヤＷ１が自閉装置ＤＣ３の巻取ドラム１６０から引き出されていき、開放姿勢まで移動する（図２８（Ｃ））。この時、第１ハンガーローラ６３は、引き出しが規制された第２ワイヤＷ２に沿って戸尻側（開放方向）へ移動する。
【００７８】
第１スライド扉６が開放姿勢まで移動すると、自閉装置ＤＣ３のタイマーによって開放姿勢（図１８参照）を所定時間（例えば１分間）保持するようになっている。その後、自閉装置ＤＣ３の作動によって、戸先側（閉鎖方向）に移動する第１ワイヤＷ１上の当接体６４３が第２ハンガーローラ６４の当接部６４２を押すことで、第１スライド扉６は自動で戸先側（閉鎖方向）に移動して閉鎖姿勢となる（図２９（Ｄ）、（Ｅ））。図２８（Ｂ）、（Ｃ）、図２９（Ｄ）における当接部６３３の位置から明らかなように、当接体６３３は移動していない。また、本実施形態では、当接部６４２はバネ６４２Ａによって支持されており、バネ６４２Ａは、当接部６４２と当接体６４３が当たった時の衝撃を和らげる緩衝部材として機能する。
【符号の説明】
【００７９】
１  開口部（車両用開口部）
３  第１扉体（開き扉）
４  第２扉体（開き扉）
５  開口部（人道用開口部）
６  第１スライド扉（引き戸）
６３  第１ハンガーローラ
６４  第２ハンガーローラ
１１  上側ロッド（可動体）
１７  引戸開放装置（第１巻取装置）
１８  巻取装置（移動規制手段、第２巻取装置）
１８´  巻取装置（移動規制手段、第２巻取装置）
１８０  レバー
１８１  巻取ドラム（移動規制手段、ロック装置）
１８２  ラチェット歯車（移動規制手段、ロック装置）
１８３  回動係止体（移動規制手段、ロック装置）
１８４  回動体（移動規制解除手段）
１８５  カム（移動規制解除手段）
７  第２スライド扉（引き戸）
Ａ  車道トンネル側
Ｂ  避難連絡坑側
ＤＣ３  自閉装置
Ｈ１  グレモンハンドル（操作部）
Ｗ１  第１ワイヤ（第２線状部材）
Ｗ２  第２ワイヤ（第１線状部材）
Ｗ３  作動ワイヤ（移動規制解除手段）
【図１】
2020109249.tif 000003
【図２】
2020109249.tif 000004
【図３】
2020109249.tif 000005
【図４】
2020109249.tif 000006
【図５】
2020109249.tif 000007
【図６】
2020109249.tif 000008
【図７】
2020109249.tif 000009
【図８】
2020109249.tif 000010
【図９】
2020109249.tif 000011
【図１０】
2020109249.tif 000012
【図１１】
2020109249.tif 000013
【図１２】
2020109249.tif 000014
【図１３】
2020109249.tif 000015
【図１４】
2020109249.tif 000016
【図１５】
2020109249.tif 000017
【図１６】
2020109249.tif 000018
【図１７】
2020109249.tif 000019
【図１８】
2020109249.tif 000020
【図１９】
2020109249.tif 000021
【図２０】
2020109249.tif 000022
【図２１】
2020109249.tif 000023
【図２２】
2020109249.tif 000024
【図２３】
2020109249.tif 000025
【図２４】
2020109249.tif 000026
【図２５】
2020109249.tif 000027
【図２６】
2020109249.tif 000028
【図２７】
2020109249.tif 000029
【図２８】
2020109249.tif 000030
【図２９】
2020109249.tif 000031